(57)【要約】【課題】本発明は、発光体ユニットの取り付け作業が容易、かつコスト低減を図ることができる照明器具を提供する。【解決手段】一対の付勢部材は、それぞれ円筒状に巻き回したコイル部と、前記コイル部の一端から延伸した１本の腕部と、前記コイル部の他端から延伸し前記腕部よりも短い折り返し部と、を備えた捩りばねであり、前記一対の付勢部材は、前記コイル部の中心軸を互いに平行に、かつ前記腕部を前記電源装置と反対側に、前記折り返し部を前記電源装置側に配置し、前記一対の付勢部材は、コイル部にばね保持具を通して発光ユニットに固定した。【選択図】図４
2018060698.tif 000002
【特許請求の範囲】
【請求項１】
天井に取り付けられた器具本体と、
前記器具本体の下部に着脱自在に設けられ、発光体素子を備えた発光体基板と、前記発光体基板に接続された電源装置と、前記発光体基板の下部を覆って前記発光体素子から照射された光を透過する透光カバーと、を備えた発光体ユニットと、
前記発光体基板と電気的に接続される電源装置と、を備え、
前記発光体ユニットにおける前記透光カバーと相対する上面には電源装置があり、その電源装置を挟んで配置された一対の付勢部材を備え、
前記一対の付勢部材は、それぞれ円筒状に巻き回したコイル部と、前記コイル部の一端から延伸した１本の腕部と、前記コイル部の他端から延伸し前記腕部よりも短い折り返し部と、を備えた捩りばねであり、
前記一対の付勢部材は、前記コイル部の中心軸を互いに平行に、かつ前記腕部を前記電源装置と反対側に、前記折り返し部を前記電源装置側に配置し、
前記一対の付勢部材は、コイル部にばね保持具を通して発光ユニットに固定したことを特徴とする照明器具。
【発明の詳細な説明】
【技術分野】
【０００１】
本発明は、天井部に取り付けられる照明器具に関する。
【背景技術】
【０００２】
特許文献１には、取付ばねは、コイル部と、一対の腕とを有するねじりコイルばねで構成される。取付ばねは、保持金具を介して、取付部材にコイル部が保持される。また、取付ばねの一対の腕のうちの片方の腕は、保持金具に引っ掛けられる。そして、これらの係止金具及び取付ばねは、取付部材の左右方向における両端寄りの位置に、それぞれ１組ずつ設けられることが開示されている。
【先行技術文献】
【特許文献】
【０００３】
【特許文献１】特開２０１６−８１６４２号公報
【発明の概要】
【発明が解決しようとする課題】
【０００４】
特許文献１に記載された構成では、光源ユニットを器具本体に取付ける際、取付ばねが光源ユニット端部にあり、保持金具の形状も大きく、取付が困難な構造である。
【０００５】
また保持金具の構造が複雑で形状が大きい為コストがかかる、という課題がある。
【０００６】
光源ユニットを取付ける際に、器具本体に設けられた挿通穴に光源ユニットの係止金具の係止片の先端を引っ掛けた後、取付ばねの腕を、取付金具の引掛部に引っ掛ける構造であるが光源ユニットは片側一対のばねでのみ光源ユニットを引き上げている構造なので器具本体と光源ユニットの密着性に課題がある。
【０００７】
上記課題に鑑みて本発明の照明器具は、発光体ユニットの取り付け作業が容易、かつコスト低減を図ることができる照明器具を得ることを目的とする。
【課題を解決するための手段】
【０００８】
本発明の照明器具は、天井に取り付けられた器具本体と、前記器具本体の下部に着脱自在に設けられ、発光体素子を備えた発光体基板と、前記発光体基板に接続された電源装置と、前記発光体基板の下部を覆って前記発光体素子から照射された光を透過する透光カバーと、を備えた発光体ユニットと、前記発光体基板と電気的に接続される電源装置と、を備え、前記発光体ユニットにおける前記透光カバーと相対する上面には電源装置があり、その電源装置を挟んで配置された一対の付勢部材を備え、前記一対の付勢部材は、それぞれ円筒状に巻き回したコイル部と、前記コイル部の一端から延伸した１本の腕部と、前記コイル部の他端から延伸し前記腕部よりも短い折り返し部と、を備えた捩りばねであり、前記一対の付勢部材は、前記コイル部の中心軸を互いに平行に、かつ前記腕部を前記電源装置と反対側に、前記折り返し部を前記電源装置側に配置し、前記一対の付勢部材は、コイル部にばね保持具を通して発光ユニットに固定した。
【発明の効果】
【０００９】
本発明によれば、発光体ユニットの取り付け作業が容易、かつコスト低減を図ることができる照明器具を得ることができる。
【図面の簡単な説明】
【００１０】
【図１】本発明の第一実施形態における照明器具を斜め下方から見た斜視図である。
【図２】図１のＡ−Ａ線断面図である。
【図３】図２のＢ−Ｂ線断面図である。
【図４】本発明の実施形態における照明器具を斜め上方から見た全体分解斜視図である。
【図５】（ａ）は本発明の実施形態における照明器具を斜め下方から見た斜視図であり、発光体ユニットをキックバネによって吊り下げた状態を示し、（ｂ）は図５（ａ）のキックバネ周囲の構成を詳細に示す斜視図である。
【発明を実施するための形態】
【００１１】
以下、本発明を実施するための形態の一例（以下「実施形態」という）について、適宜図面を参照しながら詳細に説明する。なお、各図において、共通する部分には同一の符号を付し重複した説明を省略する。
【００１２】
まず、第一実施形態に係る照明器具の構成を、図１から図５を用いて説明する。図１は、本発明の第一実施形態における照明器具を斜め下方から見た斜視図である。図２は、図１のＡ−Ａ線断面図である。図３は、図２のＢ−Ｂ線断面図である。図４は、本発明の実施形態における照明器具を斜め上方すなわち天井側から見た全体分解斜視図である。図５（ａ）は本発明の実施形態における照明器具を斜め下方から見た斜視図であり、発光体ユニットをキックバネによって吊り下げた状態を示し、図５（ｂ）は図５（ａ）のキックバネ周囲の構成を詳細に示す斜視図である。
【００１３】
ここで、照明器具１が、天井２に取り付けられた際の天井側を上方向、床面側を下方向とする。つまり照明器具１が、天井２に取り付けられた場合、上方向から下方向へ器具本体３、発光体ユニット４の順になるよう取り付けられる。また、照明器具１の外形は長尺な略直方体であるため、照明器具１には６つの面が存在する。これ以降、照明器具１が天井２に取り付けられた状態を基準として、照明器具１の天井側の面を上面、照明器具１の床面側の面を下面、天井２と直交し長尺な照明器具１の長手面を長手方向側面、上面・下面・長手方向側面以外の天井２と直交し長尺な照明器具１の短手面を短手方向側面と呼ぶことにする。また、これ以降、天井２に平行であり長手方向側面と平行となる方向を長手方向、天井２に平行であり短手方向側面と平行となる方向を短手方向と呼ぶ。
【００１４】
図１に示すように、本実施形態の照明器具１は、天井２の下面に固定される器具本体３と、器具本体３の下側に設けられた、例えば光源として発光ダイオード（ライト・エミッティング・ダイオード：ＬＥＤ）を内在し、下側表面は光を透過ないし拡散する透光カバー５で構成した着脱自在な発光体ユニット４とからなっている。
【００１５】
図４、５（ａ）に示すように、器具本体３は長尺の略直方体であり、一対のばね受け具６が長手方向の中心線に沿って下向きに配置され、ねじ３０によって器具本体３に固定されている。発光体ユニット４に電源を供給するためのケーブル７ａの一端にはコネクタ８ａが設けられ、コネクタ８ａはケーブル７ａを介して天井２から器具本体３を通して下方に延伸されている。器具本体３は、例えば図示しないネジやフックによって下側から天井２に固定される。
【００１６】
器具本体３の形状の一例としては、図３ないし図４に示すように、短手方向の断面では発光体ユニット４と対向する部分が凹んでおり、発光体ユニット４の一部が器具本体３に嵌合する形状とすれば、天井２からの照明器具１の下向きの凸量が小さくなるので薄型化が図れるので好適である。
【００１７】
発光体ユニット４は、例えば鉄板の長手方向側面の両辺を曲げて略コの字断面をした発光体ベース１３と、発光体ベース１３の下面に沿って設けられた発光体基板（図示なし）と、発光体基板に電気的に接続された発光体基板の下面側に設けられた例えばＬＥＤである発光体素子（図示なし）を備える。
【００１８】
発光体ベース１３の上面側には発光体基板と電気的に接続された電源装置１６が設けられ、電源装置１６から延伸されたケーブル７ｂの一端にはコネクタ８ｂが設けられ、天井２から器具本体３通して下方に延伸されたケーブル７ａの一端に設けられたコネクタ８ａと一対をなして互いに接続可能であり、コネクタ８ａ、８ｂを接続すれば電源装置１６に通電して発光体基板を介して発光体素子を発光できる。
【００１９】
発光体ユニット４の下面は発光体素子からの光を透過する透光カバー５によって覆われている。
【００２０】
透光カバー５の長手方向に沿った両側面近傍には、先端部を互いに内側に向けて屈曲させた係合部１７を設け、発光体ベース１３の略コの字断面の端部に外側から嵌合して透光カバー５を発光体ベース１３に対して保持する構成である。
【００２１】
透光カバー５は発光体素子からの光を透過するものであればよく、透明の材料で作成しても半透明の材料で作成してもよい。また、透光カバー５は、拡散性でも非拡散性でもよい。透光カバー５が拡散性であれば均斉度は高くなり、非拡散性であれば効率がよくなる
発光体ベース１３の上面には、器具本体３に下向きに設けられたばね受け具６に対応した位置に、ばね保持具２７が例えばねじ３０によって固定されている。
【００２２】
ばね保持具２７は、円筒状に巻き回された捩りばね８のコイル部９の内側を貫通して捩りばね８を発光体ベース１３に支持している。この捩りばね８のコイル部９の一端は延伸されたばね腕部１０となっている。他端は、ばね腕部１０よりも短く、折り返す部分を備えるある折り返し部２０となっている。この捩りばね８のことを、本発明の記載においては以下キックばね８と称することがある。
【００２３】
ばね保持具２７は、キックばね８のコイル部９を発光体ベース１３に対して締めつけて固定しなくてもよく、がたつきのある状態であってもよい。ばね保持具２７には、キックばね８の短手方向の移動を制限するための切り曲げ部１９を設けている。
【００２４】
キックばね８のばね腕部１０を器具本体３に設けられたばね受け具６に嵌合し、ばね受け具６に対して上向きの付勢力を作用することで、キックばね８とばね保持具２７を介して発光体ベース１３を上方に引き上げる力を生じ、発光体ユニット４を器具本体３に下側から押し当ててセットされる構成である。
【００２５】
ここで、キックばね８、キックばね８のコイル部９を貫通して保持するばね保持具２７、キックばね８のばね腕部１０と作用するばね受け具６の配置について説明する。先に説明したように、発光体ベース１３に設けられたばね保持具２７と、器具本体３に設けられたばね受け具６とは互いに対応する位置に設けられ、ばね保持具２７によってコイル部分を支持されたキックばね８のばね腕部１０がばね受け溝１１に嵌合し、キックばね８により生じるばね力すなわち付勢力がばね受け溝１１に作用する。キックばね８を介して発光体ユニット４に上向きの付勢力を付与し、その付勢力が発光体ユニット４の自重を上回ることによって発光体ユニット４を器具本体３に近接する方向、すなわち上向きに作用して発光体ユニット４を器具本体３に当接して保持する構成である。
【００２６】
ばね保持具２７の一部には、キックばね８のコイル部が短手方向へ移動することを制限する所謂ストッパである切り起こし部１２が設けられており、キックばね８を発光体ユニット４の長手方向の略中心線上に保持する。
【００２７】
本実施形態ではキックばね８を発光体ユニット４の長手方向に沿った中心線上に２式設け、互いに発光体ユニット４の重心位置Ｇを挟んで配置している。発光体ユニット４の重心位置Ｇは、概ね長手方向の中心位置近傍となるが、電源装置１６が発光体ユニット４の中心位置からずれて配置された場合には、重心位置Ｇは長手方向の中心位置よりも電源装置１６の側にずれた位置となる。
【００２８】
また、本実施形態においては図３に示すように短手方向の断面形状は略左右対称な構成としたので、発光体ユニット４の重心位置Ｇは長手方向に沿った中心線上にあり、キックばね８による上向きの付勢力は発光体ユニット４の重心を上方に付勢する構成である。
【００２９】
本実施形態においては、一対のキックばね８を互いに発光体ユニット４の重心位置Ｇを挟んで配置したので、キックばね８によるばね力が発光体ユニット４を上向きに安定に付勢して、器具本体３に当接して保持することができる。
【００３０】
発光体ユニット４を器具本体３に取り付ける際の施工手順としては、器具本体３を天井に取付け、ケーブル７ａを介してコネクタ８ａが器具本体３からぶら下がった状態とする。
【００３１】
しかる後に発光体ユニット４を器具本体３に近接させてキックばね８を図４の破線に示した状態から実線で示した状態まで弾性変形させつつキックばね８の先端部分を順次、器具本体３に設けられたばね受け具６に架ける。２本のキックばね８をそれぞればね受け具６に架けた状態で、発光体ユニット４は２本のキックばね８、ばね保持具２７を介して器具本体３から吊下げられた状態となる。
【００３２】
２本のキックばね８は、先に述べたように発光体ユニット４の長手方向に沿った中心線上に、発光体ユニット４の重心位置Ｇを挟んで配置されているので、発光体ユニット４は器具本体３に対して略平行な位置で吊下げられる。
【００３３】
しかる後に、器具本体３からぶら下がった状態にあるコネクタ８ａと、発光体ユニット４に設けられた電源装置１６にケーブル７ｂを介して接続されたコネクタ８ｂとを互いに接続する。
【００３４】
しかる後に、発光体ユニット４を器具本体３に近接させるよう上昇させれば、キックばね８による付勢力が発光体ユニット４の自重より大なるようにしているので、発光体ユニット４は器具本体３に向けて引き上げられ、発光体ユニット４は器具本体３に当接されて、図１から図３に示すような形態となり（これを、セットされる、と表記することがある）、この状態で照明器具１として使用される。
【００３５】
このような施工手順なので、施工の容易な照明器具１としては、次のような効果を備えた構成が望ましい。
１．キックばね８をばね受け具６に架ける際に、ばね受け具６が目視確認できるとともに、キックばね８をばね受け具６の所定の位置、例えばばね受け溝１１に容易に架けられる。
２．コネクタ８を接続する際に、キックばね８を介して発光体ユニット４を吊下げた状態で保持することが可能であり、紐や鎖のような特段の吊下げ部材が不要。
３．コネクタ８を接続するための作業スペースが大である。
４．コネクタ８を接続したのち発光体ユニット４を吊下げた状態から下方から持ち上げるだけで、発光体ユニット４はキックばね８の付勢力によって器具本体３に向けて引き上げられてセットされ、特段の道具を使うことなく発光体ユニット４を取り付けられる。
５．キックばね８は１本ずつ順次ばね受け具６に架けるので、キックばね８を１本だけ架けた状態でも、発光体ユニット４が安定しており支持しやすい
ばね受け金具６の取付位置が器具本体３における長手方向の外側であり、ばね腕部１０を嵌合させるばね受け溝１１が器具本体における長手方向の内側（電源装置１６を設けた場合の電源装置１６側）を向くように取り付けられているので、発光体ユニット４を器具本体３へ取り付ける際の作業が容易という効果がある。
【００３６】
キックばね８において、ばね保持具２７へ嵌合するためのばね腕部１０が１本であり、ばね保持具２７のばね溝部１１もばね腕部１０に合うように１箇所のみであることにより、ばね腕部を２本、ばね溝部も２箇所とするものに比べ、小型にすることができ、照明器具の軽量化および、コスト低減を図ることができるという効果がある。
【００３７】
折り返し部２０のように、キックばね８の先端を折り返すことにより取り付け時の信頼性向上、切り起こし部１２に引掛り、発光体ユニットの脱落防止効果がある。
【符号の説明】
【００３８】
1  照明器具
2  天井
3  器具本体
4  発光体ユニット
5  透光カバー
6  ばね受け具
7  ばね保持具
8  キックばね
9  コイル部
10  ばね腕部
11  ばね受け溝
12  切り起こし部
【図１】
2018060698.tif 000003
【図２】
2018060698.tif 000004
【図３】
2018060698.tif 000005
【図４】
2018060698.tif 000006
【図５】
2018060698.tif 000007